【手続補正書】
【提出日】平成17年1月19日(2005.1.19)
【手続補正１】
【補正対象書類名】明細書
【補正対象項目名】発明の名称
【補正方法】変更
【補正の内容】
【発明の名称】無線通信方法及び無線通信装置
【手続補正２】
【補正対象書類名】明細書
【補正対象項目名】特許請求の範囲
【補正方法】変更
【補正の内容】
【特許請求の範囲】
【請求項１】
複数の通信局の間の無線通信方法において、
上記無線通信でフレーム構造の無線信号の伝送を行い、
上記フレーム構造の無線信号は、複数のスロットに分割された管理領域とデータ伝送領域とを備え、
上記管理領域で、上記複数の通信局の間の通信品質を確認するための制御信号の伝送と、上記複数の通信局の間の通信品質を表す通信品質情報の伝送を行い、
上記データ伝送領域で、等時データ又は非同期データを伝送する無線通信方法。
【請求項２】
請求項１記載の無線通信方法において、
通信局は、他の通信局から伝送される上記制御信号を受信し、その受信状態から取得される受信状態情報を他の通信局に対し送信する無線通信方法。
【請求項３】
請求項２記載の無線通信方法において、
通信局は、上記制御信号を受信した通信局から送信された上記受信状態情報を受信して保持し、その検査結果に基づいた上記通信品質情報を上記他の通信局に対して送信する無線通信方法。
【請求項４】
請求項２記載の無線通信方法において、
通信局は、上記他の通信局から送信された上記受信状態情報に基づいて、直接通信が可能な通信局を把握し、その把握で直接通信ができない通信局の間で等時データ又は非同期データの伝送要求があるとき、中継する通信局を指示し、
この中継する通信局で、受信した等時データ又は非同期データを一時保持し、上記一時保持した等時データ又は非同期データを再送信する無線通信方法。
【請求項５】
他の無線通信装置との間での無線通信が行われる無線通信装置において、
所定のフレーム周期で通信制御を行う制御部と、
上記制御部の制御により、上記フレーム周期内の第１のタイミングに設定され複数のスロットからなる管理領域にて、他の無線通信装置との間の通信品質を確認するための制御信号と、その制御信号に受信状態から取得される受信状態情報との送信又は受信を行う通信処理部とを備えた無線通信装置。
【請求項６】
請求項５記載の無線通信装置において、
上記通信処理部で上記制御信号を受信したときの受信強度，データの誤りの程度，誤り訂正時の尤度の少なくとも１つから上記受信状態情報を生成する受信状態情報生成部を備えた無線通信装置。
【請求項７】
請求項５記載の無線通信装置において、
上記フレーム周期内の第２のタイミングに設定されるデータ伝送領域で、上記通信処理部が他の無線通信装置との間で等時データ又は非同期データの送信又は受信を行う無線通信装置。
【請求項８】
請求項５記載の無線通信装置において、
上記管理領域で伝送される通信品質情報を上記通信処理部が受信し、その受信した通信品質情報を上記制御部が判断して、直接通信が可能な他の無線通信装置を把握し、上記制御部が、その把握した他の無線通信装置とだけ上記通信処理部で直接的に通信させる無線通信装置。
【手続補正３】
【補正対象書類名】明細書
【補正対象項目名】０００１
【補正方法】変更
【補正の内容】
【０００１】
【発明の属する技術分野】
本発明は、例えば無線信号により各種情報を伝送して、複数の機器間でローカルエリアネットワーク（ＬＡＮ）を構成する場合に好適な無線通信方法及びこの無線通信方法を適用した無線通信装置に関する。
【手続補正４】
【補正対象書類名】明細書
【補正対象項目名】００１０
【補正方法】変更
【補正の内容】
【００１０】
【課題を解決するための手段】
この課題を解決するために本発明の無線通信方法は、無線通信でフレーム構造の無線信号の伝送を行い、このフレーム構造の無線信号は、複数のスロットに分割された管理領域とデータ伝送領域とを備え、管理領域で、複数の通信局の間の通信品質を確認するための制御信号の伝送と、複数の通信局の間の通信品質を表す通信品質情報の伝送を行い、データ伝送領域で、等時データ又は非同期データを伝送するようにしたものである。
【手続補正５】
【補正対象書類名】明細書
【補正対象項目名】００１１
【補正方法】変更
【補正の内容】
【００１１】
本発明の無線通信方法によると、各通信局では、制御信号の受信によりシステム内の他の通信局との通信品質が判り、その通信品質に基づいて各通信局間の通信品質情報を生成させて各通信局に対して伝送させることで、システム内での通信状態が各通信局で判断できる。
【手続補正６】
【補正対象書類名】明細書
【補正対象項目名】００１２
【補正方法】変更
【補正の内容】
【００１２】
また本発明の無線通信装置は、所定のフレーム周期で通信制御を行う制御部と、この制御部の制御により、フレーム周期内の第１のタイミングに設定される複数のスロットからなる管理領域にて、他の無線通信装置との間の通信品質を確認するための制御信号と、その制御信号に受信状態から取得される受信状態情報との送信又は受信を行う通信処理部とを備えたものである。
【手続補正７】
【補正対象書類名】明細書
【補正対象項目名】００１３
【補正方法】変更
【補正の内容】
【００１３】
本発明の無線通信装置によると、フレーム周期で他の無線通信装置との間の無線通信が行われると共に、そのフレーム周期内の管理領域で、制御信号に受信状態から取得される受信状態情報で、他の無線通信装置との間の通信品質を確認することができ、またその確認した受信状態情報を制御装置などに送信することができる。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００７４
【補正方法】変更
【補正の内容】
【００７４】
【発明の効果】
請求項１に記載した無線通信方法によると、各通信局では、制御信号の受信によりシステム内の他の通信局との通信品質が判り、その通信品質に基づいて各通信局間の通信品質情報を生成させて各通信局に対して伝送させることで、システム内での通信状態が各通信局で判断でき、通信状態が良好と判断される相手にだけ無線伝送を行うことで、システム内での確実な無線伝送ができる。
【手続補正１１】
【補正対象書類名】明細書
【補正対象項目名】００７５
【補正方法】変更
【補正の内容】
【００７５】
請求項２に記載した無線通信方法によると、請求項１に記載した発明において、通信局は、他の通信局から伝送される制御信号を受信し、その受信状態から取得される受信状態情報を他の通信局に対し送信することで、通信品質の情報を実際の伝送結果に基づいて良好に生成させることができると共に、制御局側でその通信品質の情報の集計が良好に行える。
【手続補正１２】
【補正対象書類名】明細書
【補正対象項目名】００７６
【補正方法】変更
【補正の内容】
【００７６】
請求項３に記載した無線通信方法によると、請求項２に記載した発明において、通信局は、制御信号を受信した通信局から送信された受信状態情報を受信して保持し、その検査結果に基づいた通信品質情報を他の通信局に対して送信することで、各通信局側でも他の局との通信状態を把握できるようになる。
【手続補正１３】
【補正対象書類名】明細書
【補正対象項目名】００７７
【補正方法】変更
【補正の内容】
【００７７】
請求項４に記載した無線通信方法によると、請求項２に記載した発明において、直接通信が可能な通信局を把握し、その把握で直接通信ができない通信局の間でデータの伝送要求があるとき、中継する通信局を指示して中継伝送処理を行うことで、システム内の直接的に通信ができない通信局間の無線伝送についても、制御局からの指示に基づいた中継伝送で良好に実行できる。
【手続補正１４】
【補正対象書類名】明細書
【補正対象項目名】００７８
【補正方法】変更
【補正の内容】
【００７８】
請求項５に記載した無線通信装置によると、フレーム周期で他の無線通信装置との間の無線通信が行われると共に、そのフレーム周期内の複数のスロットからなる管理領域にて、制御信号に基づいて他の無線通信装置との間の通信品質を確認することができ、またその確認した受信状態情報を制御装置などに送信することができる。
【手続補正１５】
【補正対象書類名】明細書
【補正対象項目名】００７９
【補正方法】変更
【補正の内容】
【００７９】
請求項６に記載した無線通信装置によると、請求項５に記載した発明において、通信処理部で制御信号を受信したときの受信強度，データの誤りの程度，誤り訂正時の尤度の少なくとも１つから受信状態情報を生成する検査結果生成部を備えたことで、実際の通信状態に基づいて良好に受信状態情報を生成させることができる。
【手続補正１６】
【補正対象書類名】明細書
【補正対象項目名】００８０
【補正方法】変更
【補正の内容】
【００８０】
請求項７に記載した無線通信装置によると、請求項５に記載した発明において、データ伝送領域で通信処理部が他の無線通信装置との間で等時データ又は非同期データの送信又は受信を行うことで、等時データ又は非同期データの無線伝送を良好に行うことができる。
【手続補正１７】
【補正対象書類名】明細書
【補正対象項目名】００８１
【補正方法】変更
【補正の内容】
【００８１】
請求項８に記載した無線通信装置によると、請求項５に記載した発明において、管理領域で伝送される通信品質情報を通信処理部が受信し、その受信した通信品質情報を制御部が判断して、直接通信が可能な他の無線通信装置を把握し、制御部が、その把握した他の無線通信装置とだけ通信処理部で直接的に通信させることで、システム内の直接的に通信ができない装置に対して直接送信を行うことがなく、伝送エラーなどを生じさせることなく確実に無線伝送できる。
【手続補正１８】
【補正対象書類名】明細書
【補正対象項目名】００８２
【補正方法】削除
【補正の内容】
【手続補正１９】
【補正対象書類名】明細書
【補正対象項目名】００８３
【補正方法】削除
【補正の内容】
【手続補正２０】
【補正対象書類名】明細書
【補正対象項目名】００８４
【補正方法】削除
【補正の内容】